(57)【要約】【課題】引手から手を離さずに引戸の開閉を行うことのできる引戸の提供。【解決手段】コ字形に形成される装着枠９の上下の枠部７，８間に縦方向に渡る握り部１０と、該握り部１０と前記装着枠９の縦枠部６との間に内外に向けて開放する内外の指掛け凹部１１とを備える引手構造体４を戸本体２の当り竪框５の高さの途中に切欠き形成する装着凹部３に嵌合し固着する。そして、引手構造体４の前記握り部１０と前記当り竪框５の当り面との間に前記握り部１０を把持する掌の差し入れを許す内外に抜ける手抜き空間３３を形成する。【選択図】図１
2009068189.tif 000002
【特許請求の範囲】
【請求項１】
コ字形に形成される装着枠の上下の枠部間に縦方向に渡る握り部と、該握り部と前記装着枠の縦枠部との間に内外に向けて開放する内外の指掛け凹部とを備える引手構造体を戸本体の当り竪框の高さの途中に切欠き形成する装着凹部に嵌合し固着すると共に、前記引手構造体の前記握り部と前記当り竪框の当り面との間に前記握り部を把持する掌の差し入れを許す手抜きの空間を設けてなることを特徴とした引戸。
【請求項２】
手抜きの空間には不使用時に該手抜きの空間を閉塞し、使用時には開放して掌の差し入れを許す開閉自由な扉を備えてなることを特徴とした請求項１記載の引戸。
【請求項３】
扉は、常にはばねによって閉塞姿勢に付勢されることを特徴とした請求項２に記載の引戸。
【請求項４】
扉は、肉薄の回動板片であることを特徴とした請求項２または３に記載の引戸。
【請求項５】
扉は、ゴム、合成ゴム等の弾性素材製の帯状片からなることを特徴とした請求項２に記載の引戸。
【発明の詳細な説明】
【技術分野】
【０００１】
本発明は、引戸に関する。更に言えば、引戸の引手構造に関する。
【背景技術】
【０００２】
従来より、襖や障子等、部屋や建物等の出入口に設けられる引戸には、その内外の面の所定位置に、引戸を開閉するための引手がそれぞれ取り付けられている。一般に、引手は、指が掛けられる指掛け凹部と該指掛け凹部を引戸の所定位置に固定するための取り付け鍔部とを有し、それらが一体成形されて、引戸の所定位置に穿孔される取り付け凹部に嵌め込み取り付けるようにしてある。
【０００３】
通常、引手を利用して引戸を開閉する場合、開放側に立つ人はまず面前の引手に指を掛け、引戸を敷居の方向にスライドさせ開放したのち引手から手を離し、次に通り抜けた後、閉塞側にまわって反対側の引手に指を掛け、引戸をスライドさせて閉鎖することになる。
この様に、引戸を開閉操作する場合は、開放側の引手で開放し、閉めるときには反対側の引手を引いて閉塞するのが普通で、この開放する操作と閉塞する操作は、引手を持ち替えて行うことになる。
従来から引手については数多の提案があり、実用化されているが、引戸に取り付ける引手の例を挙げれば、例えば下記特許文献のものがある。
【０００４】
【特許文献１】特開平１０−２８０７４１号公報
【発明の開示】
【発明が解決しようとする課題】
【０００５】
特許文献記載の引手は、引戸に引手が取り付けられた後に引戸の厚みが薄くなった場合に引手相互の間隔を狭めることのできる引手に関するものであるが、実際の使用にあたっては従来の一般的な引手と同様に、前述した如く開放側の引手の位置を確認して指を掛けて引戸を開けた後、いったん指を引手から外すことになり、閉めるときには閉塞側に回り込んで、反対側の引手の位置を確認し、次にこの引手に指を掛けて引戸を閉めることになる。このように、引戸を開閉するにあたっては、引手の位置の確認と指を掛ける行為を２度ずつ行わなければならないことには変わりがない。
【０００６】
このように開閉操作において二度手間になることに鑑み本発明はなされたものであり、その目的とするところは、引手の位置の確認と指を掛ける動作を１度で済ませ、引戸を開ける動作と閉める動作を片手で連続した一連の動作として行えるようにした引戸の構造を提供することにある。
【課題を解決するための手段】
【０００７】
上記目的を達成するため本発明は、コ字形に形成される装着枠の上下の枠部間に縦方向に渡る握り部と、該握り部と前記装着枠の縦枠部との間に内外に向けて開放する内外の指掛け凹部とを備える引手構造体を戸本体の当り竪框の高さの途中に切欠き形成する装着凹部に嵌合し固着すると共に、前記引手構造体の前記握り部と前記当り竪框の当り面との間に前記握り部を把持する掌の差し入れを許す手抜きの空間を設けてなることを特徴とした引戸を提供するものである。
【０００８】
また、本発明は、手抜きの空間には不使用時に該手抜きの空間を閉塞し、使用時には開放して掌の差し入れを許す開閉自由な扉を備えてなることを特徴とした引戸を提供するものである。
【０００９】
また、本発明は、扉は、常にはばねによって閉塞姿勢に付勢されることを特徴とした引戸を提供するものである。
【００１０】
また、本発明は、扉は、肉薄の回動板片であることを特徴とした引戸を提供するものである。
【００１１】
また、本発明は、扉は、ゴム、合成ゴム等の弾性素材製の帯状片からなることを特徴とした引戸を提供するものである。
【００１２】
上記本発明の引戸を開閉して例えば部屋の内側から外側に出るには、まず、内側から手抜きの空間に手を通して握り部に手を掛けることになる。このとき自動的に指先が引戸の外側の指掛け凹部に臨むことになる。この手を掛けた状態のまま引戸をスライドさせ、開放させることになり、使用者は開けながら開放空間を通り抜けて引戸の外側に移動することになる。このとき、握っていた手のひらは握り部の周りを回って指先が指掛け凹部にそのまま入り込むことになることから、次にこの凹部に掛けられた指に力を入れて引戸を逆方向にスライドさせれば、引戸をそのまま閉じることができることになる。つまり、この間、引戸の開閉は片手で行われると共に、手は握り部に添えたままの一連の動作で行われることになる。
【００１３】
また、手抜きの空間に対して扉が取り付けられている場合には、この扉が常時は空間を閉じた状態にあることによって、開放操作の際にはまず握り部を握る手によって押しのけられ、空間を開放した状態にして握り部に手を掛け、前述した操作が行われることになる。
そして、このとき、上記扉は握り部を握る手によって押しのけられながら握り部と一緒に握られることになり、引戸を閉じた後、指から解放されることになる。そして更にこのとき扉が、ばねによって付勢され、または弾性素材によって形成されている場合は、握りから解放されたとき復元力によって閉塞位置に自動復帰することになる。
【発明の効果】
【００１４】
したがって、上記説明から、本発明の引戸によれば、握り部と当り竪框の当り面、言い換えれば装着凹部の開口部との間に掌の差し入れを許す手抜きの空間が形成されていることにより、引戸を開き、引戸の内側から外側へ通り抜け、引戸を閉めるまでの作業の間、掌を握り部から外すことなく行うことができることから、引手の位置の確認と手指を掛ける動作を１度で済ませることができ、従って引戸を開ける動作と閉める動作を片手による連続した一連の動作として行えることができるため、引戸の開閉操作を円滑に、且つ迅速に行うことができる。
【００１５】
また、手抜きの空間を閉塞する扉を備えることによって、手抜きの空間を通して空気の出入りを防止すると共に、引戸の外側から内側が覗かれることを防止することができる。さらに、扉は使用時には簡単に開放されるため、握り部を握るときには邪魔にならず、しっかりと握り部を握ることができる。
そして、扉は、ばねによって閉塞姿勢に付勢される板片からなるものであったり、また弾性素材から構成されるため、戸の開閉操作後には自動的に閉塞位置に戻ることになり、手抜きの空間を閉塞することができる。
また、握り部をしっかり握って戸の開閉操作を行うことができるため、安全に開閉操作ができ指や爪を痛めることがなく、また引戸の滑りが悪く突然に停止するような場合があっても、しっかりと握り部を保持することができるのでバランスを崩して転倒するようなことを防ぐこともできる。
【発明を実施するための最良の形態】
【００１６】
以下、図面を参照しつつ、本発明に係る引戸につきその実施の形態を実施例に基づき詳細に説明する。
【実施例１】
【００１７】
図１は、本発明に係る引戸の斜視図、図２は引戸の要部となる引手構造体を引戸本体から外した状態の拡大斜視図、図３は引手構造体の拡大分解斜視図、図４は図２のＡ−Ａ断面図、図５は図２のＢ−Ｂ断面図である。
【００１８】
引戸１は、図１及び２に示すように、戸本体２に形成する装着凹部３に、別体に形成する引手構造体４を嵌め付け、一体に固着する構造に形成してある。
【００１９】
前記戸本体２は、図示するように、本実施例では引き違いの引戸であり、図示しない敷居と鴨居によって支持され、これらの長さ方向に沿って自由に摺動するようになっている。
前記装着凹部３は、この戸本体２の当り竪框５の高さの途中に、室内外に連通するコ字形の凹部として切欠き形成される。なお、この装着凹部３は、本実施例においてはコ字形であるが、後述する引手構造体４の外形形状に合わせて一致するように形成することになる。
【００２０】
前記引手構造体４は、図３〜５に示すように、縦枠部６の上下両端に上枠部７と下枠部８を並行に延設してコ字形に形成する装着枠９と、この装着枠９の上記上枠部７と下枠部８間に縦方向に渡る握り部１０と、この握り部１０と装着枠９の縦枠部６との間に位置する内外の指掛け凹部１１，１１とからなり、前記戸本体２の装着凹部５に装着枠９を嵌めつけることによって取り付けられる。
【００２１】
装着枠９は、前記戸本体２の装着凹部３と形状を合わせてあり、装着凹部３に対して戸当り面５ａ側から嵌め込み、縦枠部６、上枠部７、下枠部８の各外側面の両縁部に立設する縁受け１２，１２にこの装着凹部３の切欠きの縁部を受け入れ、一体化した上で上下の枠部７，８に形成する孔１３，１３に内側からネジを通して揉み込むことによって固定される。
【００２２】
縦枠部６には、指掛け凹部１１，１１を形成するための仕切り部１４が中央部に長さ方向に沿って突出している。この仕切り部１４は、戸板の厚み方向の中間部にあって、縦枠部６から戸当り方向に向かって突出し、肉薄とした先端部を握り部１０の内側に当接して、この握り部１０と協同して戸本体２の内と外に向かって開放する内外の指掛け凹部１１，１１を形成する。
【００２３】
前記握り部１０は、ここでは引戸１を開閉する際に使用者が把持するための握り部本体と、握り部本体の縦枠部６側に取り付けられるカバー１５と、後述する扉１６を開閉自由に支持する扉支持機構１７を備えている。
握り部１０は、戸当り方向に向かって半円状に膨出させてあり、内部に空洞部１８を有している。そして、この握り部１０の膨出部分の上端と下端に、周方向に沿って溝形の第１切欠き部１９，１９をそれぞれ設け、更にその各底部に連続させて同じく溝形の第２切欠き部２０，２０が設けてある。上記第１切欠き部１９，１９は、後述するバネ受筒２１とバネ受筒２２の旋回摺動を案内するためのものであり、第２切欠き部２０，２０は、後述する上下のアーム２３，２３の回動を案内するためのものである。
【００２４】
握り部１０の内部に設ける扉支持機構１７は、空洞部１８を上下方向に貫通する軸２４と、軸２４を握り部１０の定位置に支持し、且つ上下の引張バネ２５，２５のそれぞれの一端を固定する断面略Ｔ字形の固定部材２６と、扉１６を動かすためにこの軸２４の上端と下端に取り付けられるアーム２３，２３とからなる。
【００２５】
上記固定部材２６は、握り部１０の内壁面２７の高さ方向の中間部に取り付けられる。
また、上下のアーム２３，２３は、それぞれ後端に前記引張バネ２５，２５を掛け止めるための孔２８を開設し、先端には筒型に形成され後述する扉１６のバネ受筒２２に対向させるバネ受筒２１を形成している。そして、各アーム２３，２３の長さの中心付近には軸２４の軸心に一致させてネジ孔２９が開設してあり、上枠部７及び下枠部８に設けられる皿孔３０，３０を通して揉み込むネジ３１によってこれら上枠部７及び下枠部８に回動自由に固定されるようになっている。
このアーム２３は、引戸１を開閉するときに、扇形状の前記第二切欠き部２０に添って回動し、アーム２３の先端のバネ受筒２１は、凸弧面形の前記第一切欠き部１９に添って弧状を描いて摺動することになる。
【００２６】
前記カバー１５は、握り部１０の開口する一面、つまり空洞部１８を塞ぐために取り付けられる板状の部材であり、前記縦枠部６に向き合う面には前記仕切り部１４の先端部を嵌合するための溝３２が上下方向に刻設してある。
【００２７】
引張バネ２５，２５は、アーム２３の孔２８にそれぞれ一端を係止し、他端を握り部１０の空洞部１８の内壁面２７に取り付けた固定部材２６に固定してこの間に張設され、これによってアーム２３の前後の向きを上下枠部７，８の長さ方向に揃うように付勢してある。このため、扉１６が上枠部７及び下枠部８の長さ方向から外れるように水平方向に回動されると、張力が高まることになり、この回動を解放すると自動的に原状、つまり上下の枠部７，８の長さ方向に揃う位置に復帰することになる。
【００２８】
ところで、上述した握り部１０と当り竪框５の戸当り面５ａ、更に言うと前記装着凹部３の開口部の位置との間には、握り部１０を把持する掌の差し入れを許す手抜きの空間３３が形成される。本実施例においては、引戸１の閉塞時にこの手抜きの空間３３を塞ぐ前記扉１６が握り部１０に取り付くことになる。
【００２９】
前記扉１６は、薄肉の板状の部材であり、上端部と下端部には前記アーム２３，２３に形成したバネ受筒２１，２１に対向する同一形状のバネ受筒２２，２２が形成されている。
扉１６の幅Ｗ（手抜きの空間３３の幅よりやや狭い）は、掌を縦枠部６方向に向けた状態、つまり親指と小指を上下方向に向けたとき、この掌の肉厚を超える幅に形成される。従って、この扉１６を受け入れる手抜きの空間３３はこの扉１６の幅より広い空間に形成されることになる。
【００３０】
扉支持機構１７のアーム２３と扉１６は、バネ受筒２１の上端部からバネ受筒２２の底部に埋設されるナット３４に向けて貫通状に差し込まれる支軸となるネジ３５によって回動自由に連結される。
そして、このバネ受筒２１とバネ受筒２２の内部には、扉１６を常時戸当り方向に突き出すように付勢するバネ３６，３７が、前記ネジ３５に巻装するようにして上下に収められ、中間のリング３８を中心に上下対称的に取り付けられる。
また、ネジ３５にはバネ受筒２２の回動時にバネ３６，３７を必要以上に潰さないための管３９が装着され、貫通させてある。
【００３１】
図６及び図７は上記アーム２３と扉１６を連結する構造を拡大したもので、これにつき更に詳述することにする。尚、ここには上部における連結構造について示しているが、下部についても同一のものとなるので省略することにする。
アーム２３に供えられるバネ受筒２１と扉１６のバネ受筒２２の連結は、それぞれの筒内部にバネ３６，３７を収め、それぞれの端部を衝き合わせにするとき、両者間にリング３８を介挿し、このリング３８に各バネ３６，３７の一端を係合して両バネ同士を連結するようにする。そして、リング３８の各面に突設する回り止めの爪４０，４１をバネ受筒２１，２２の端部に形成する回り止めの凹部４２，４３にそれぞれ滑合し、両バネ受筒２１，２２の衝き合わせを行う。
このとき、上記バネ３６，３７の他端はバネ受筒２１，２２の奥に係止させて勝手に回転するのを止めるようにする。
【００３２】
そうした後、アーム２３側のバネ受筒２１の上端部から軸心に沿って貫通する孔４４を通して前記管３９をバネ受筒２２に向けて差し入れ、次にこの管３９にネジ３５を通してバネ受筒２２の奥に設けるナット３４にネジ付けることでそれぞれの内部にバネ３６，３７を収めたバネ受筒２１，２２の連結がなされ、アーム２３の先端に扉１６が取り付くことになる。
【００３３】
アーム２３が上枠部７の長さ方向に沿って戸当り側に突き出る常態にあるとき、扉１６も前記２つのバネ３６，３７の働きによってアーム２３と同一方向の戸当り側に向けて突き出し、手抜きの空間３３を閉ざすことになる。そして、引戸１の開放に当って手がこの手抜きの空間３３に差し込まれ、外に向けて押出されたとき、扉１６は図６に示したように矢印Ｘ方向に支軸となるネジ３５を中心にして回動することになるが、このとき、この扉１６の回動によってバネ受筒２２が同一方向に回転し、凹部４３の壁で爪４１を送ってリング３８を回転させることになるため、このリング３８に一端を固定した上方のバネ３６が絞られ圧縮されることになる。
【００３４】
この扉１６の矢印Ｘ方向への回動に際しては、前述したアーム２３も軸２４を支点にして回転し、外に向けて扉１６を送り出すことになり、この状態において扉１６がネジ３５を支点に回動するため、この扉１６は握り部１０に巻きついた状態に畳まれ寄り添って握り部１０を握る手の中に包み込まれることになる。
【００３５】
この様にしてネジ３５を支点に回動した扉１６は、引戸の開閉操作の終了と共に握り部１０から手が離れるのに伴って押し込みから開放されることから、前記圧縮したバネ３６の復元力によって元の姿勢、つまり手抜きの空間３３を閉じる戸当り側に突き出した状態に自動的に戻されることになる。
【００３６】
上記の扉１６の動作は逆に回動した場合、つまり図６の矢印Ｙ方向に回動された場合も同じであり、握り部１０から手が離れることに伴って内側に押し込まれた扉１６が開放されたときには、閉塞姿勢に復元することになる。
このときには、バネ３６にかわってバネ３７が絞りこまれて圧縮され、反発力を高めることになり、手からの解放と共に復元力が働いて扉１６を再び元の姿勢に帰すことになる。
【００３７】
次に、上述した引手構造体４を有する引戸１を開閉する方法について図８及び９を参照して説明することにする。
引戸１を開ける場合には、まず、図８に示すように、引戸の内側（開けようとする人が立つ側）から手抜きの空間３３に手を差し入れ、扉１６を指先で押し開く。そして、図９に示すように扉１６を共に握り部１０を握る。このとき、手の指先は自動的に引戸１の外側の指掛け凹部１１に臨むことになる。次に、握った状態のまま引戸１を開放方向（図の矢印方向）にスライドさせて開き、この動作に併せて使用者は引戸１の当り竪框５を回って外側に移動することになる。このとき、握っていた手のひらがそのまま握り部１０の周りを回って指先が指掛け凹部１１に入り込むことになることから、指を指掛け凹部１１から外さずに引戸１を閉じる方向にスライドさせれば手を握り部１０から外すことなく閉じることができる。そして、このとき引戸１を閉め切って戸と柱の当り部分との間に手抜きの空間３３が確保されていることから、手を挟む心配がない。
なお、本実施例においては図の右方向に開く引戸を右手で開閉する場合について説明したが、左手で開閉してもよい。この場合は親指が戸の上方向に向くことになるが、扉１６を指先で押し開きながら握り部１０を握り、そして握った状態で引戸を開き、使用者は引き戸の外側に移動して、握った状態で引っ掛かっていた指を指掛け凹部１１から外さずに引戸１を閉じる方向にスライドさせることに変わりはない。また図の左方向に開く引戸を開閉する場合にも右手でも左手でも同様の方法で開閉することができる。
【００３８】
上述したように、本実施例による引戸１は、引戸１の開閉時において、引戸１を開いて引戸１の内側から外側へ通り抜けた後、引戸１を閉めるまでの作業を、指を握り部１０から外すことなく行うことができるので、引戸１を開閉操作するとき、開ける操作と閉める操作を片手で連続して行うことができる。従って、迅速な開閉が行えると共に片手での操作ができるため、物を持って開閉するときに便利である。
また、扉１６によって、開放状態におかれる手抜きの空間３３に対して扉１６を備えた場合、これを常時は閉塞しておけるため、手抜きの空間３３を通して引戸１の外側から内側が覗かれたり、空気の吹き抜けを有効に防止することができる。尚、この扉１６は開閉操作時には指先で押しながら握り部１０と一緒に握ることができるため、握り部１０を握るときには邪魔にならず、しかもしっかりと握り部１０を握ることができるので安全に開閉操作できることになる。
そして、扉１６は、引張バネ２５，２５、バネ３６，３７によって常時閉塞姿勢に付勢されることから、引戸１の開閉操作後に自動的に閉塞位置に戻すことができ、手抜きの空間３３を閉塞しておくことができる。
尚、上述したように握り部１０をしっかりと握って引戸１の開閉操作を行うことができるため、開閉操作が容易であると共に、引戸１と敷居との間の摺動状態が悪化し、急停止した場合でも、この握りによって体のバランスを保つことができることから転倒するのを有効に防ぐことができる。
【実施例２】
【００３９】
次に、本発明の実施例２について説明する。図１０は本発明による実施例２の把手構造体の斜視図、図１１は図１０のＣ−Ｃ断面図、図１２は引戸の開閉方法を示す図である。なお、図中の符号において、実施例１と同一の符号は同一の部所を示すものであり、重複説明を省略する。
【００４０】
図１２に示すように、握り部４５は、前記握り部１０と同様に戸当り方向に向かって半円状に膨出するように外形が形成され、装着枠９の上枠部７と下枠部８間に縦方向に渡るように取り付けられる。
そして、握り部４０の縦枠部６に対面する面には仕切り部１４の先端部を嵌合するための溝４６が上下方向に刻設され、戸当り側の前記膨出面にはゴム等の弾性部材からなる帯板状の扉４７の一端縁が差し込まれ、立ち上がり状に装着されている。
【００４１】
前記実施例１と同様に、引戸１を開閉する際には、扉４７を指先で押し開きながら握り部４５を握る。このとき扉４７は素材の弾性力によって握り部４５に沿って撓むことになる。そして握った状態で引戸を開き、使用者は引き戸の外側に移動して、握った状態で引っ掛かっていた指を指掛け凹部１１から外さずに引戸１を閉じる方向にスライドさせることになる。
【００４２】
前記実施例１においては、引戸１の開閉後に、引張バネ２５，２５、バネ３６，３７の復元力によって扉１６を閉塞姿勢に戻す場合について説明したが、本実施例においては、扉４７の素材の弾性力によって閉塞姿勢に戻すことになる。
【００４３】
このように、握り部本体４５に弾性部材からなる扉４７を植設した場合には、組立が容易となり、製造コストを削減することができる。
【００４４】
なお、実施例１及び２では戸本体２とは別体に引手構造体４を設け、戸本体２に形成された装着凹部３に組み付けた例を示したが、これに限られず、直接戸本体２に引手構造を形成してもよく、この場合には装着枠９を省略することができる。
また、本実施例においては、バネや弾性素材の復元力によって扉を閉塞位置に付勢する例を示したが、これに限られず、例えばセンサー等を設けて指先が近づくと扉が上下や握り部に格納され、指先を離すと自動的に扉が閉塞位置に戻るように構成してもよい。
【００４５】
また、本発明は、襖や障子その他、部屋の建物の出入り口に設けられる引戸のいずれのものに対しても有利に適用され得る。
【図面の簡単な説明】
【００４６】
【図１】本発明の実施例１による引戸の斜視図。
【図２】引戸の要部となる引手構造体を引戸本体から外した状態の拡大斜視図。
【図３】引手構造体の拡大分解斜視図。
【図４】図２のＡ−Ａ断面図。
【図５】図２のＢ−Ｂ断面図。
【図６】アームと扉の連結部分の拡大斜視図。
【図７】アームと扉の連結部分の拡大断面図。
【図８】開放方向に向かう扉の移動を示す要部の拡大横断面図。
【図９】開放時における扉の折り畳み状態を示す要部の拡大横断面図。
【図１０】本発明の実施例２による引手構造体の拡大分解斜視図。
【図１１】図１０のＣ−Ｃ断面図。
【図１２】開放時の扉の折り畳み状態を閉めす要部の横断面図。
【符号の説明】
【００４７】
１    引戸
２    戸本体
３    装着凹部
４    引手構造体
５    当り竪框
５ａ  戸当り面
６    縦枠部
７    上枠部
８    下枠部
９    装着枠
１０  握り部
１１  指掛け凹部
１２  縁受け
１３，２８，４４  孔
１４  仕切り部
１５  カバー
１６  扉
１７  扉支持機構
１８  空洞部
１９  第一切欠き部
２０  第二切欠き部
２１，２２  バネ受筒
２３  アーム
２４  軸
２５  引張バネ
２６  固定部材
２７  内壁面
２９  ネジ孔
３０  皿孔
３１，３５  ネジ
３２  溝
３３  手抜きの空間
３４  ナット
３６，３７  バネ
３８  リング
３９  管
４０，４１  爪
４２，４３  凹部
４５  握り部
４６  溝
４７  扉
【図１】
2009068189.tif 000003
【図２】
2009068189.tif 000004
【図３】
2009068189.tif 000005
【図４】
2009068189.tif 000006
【図５】
2009068189.tif 000007
【図６】
2009068189.tif 000008
【図７】
2009068189.tif 000009
【図８】
2009068189.tif 000010
【図９】
2009068189.tif 000011
【図１０】
2009068189.tif 000012
【図１１】
2009068189.tif 000013
【図１２】
2009068189.tif 000014